(57)【要約】本発明は、インターネットなどの通信網を介して所定の公演チケットを前売りし、そのチケットのイメージをユーザが編集、製作できる注文型チケットの発行方法及びその装置に関する。本発明は、まず、ユーザが公演チケットを前売りした後、前記前売りしたチケットのデザインを自分で編集して格納し、発券機を介して前記デザインされたチケットを発給する段階からなる。本発明によると、映画、演劇、音楽会などの公演チケットをインターネットなどの通信網を介して前売りするユーザは、自分だけのチケットを自分でデザインし、発給することができる効果がある。また、購買者は、発給するチケットに自分のアバターを簡単に入れることができる効果がある。【選択図】図５
2008538017.tif 000002
【特許請求の範囲】
【請求項１】
所定の公演チケットを購買するユーザのコンピューターであるユーザコンピューターと、前記チケットを発売する公演会社のコンピューターである公演会社コンピューターとが、インターネットを含む通信網を介して接続されており、前記ユーザの要請に応じて、前記チケットを前売りする注文型チケット発行サーバーで、注文型チケットを発行する方法であって、
(ａ)前記注文型チケット発行サーバーは、前記公演会社コンピューターから、公演場所、公演時間、座席番号、チケットの値段の情報の何れか一つ以上を含む、販売するチケットの情報を提供されて、販売用チケット情報データベースを構築する段階と、
(ｂ)前記注文型チケット発行サーバーは、前記販売するチケットのイメージ情報を提供され、これを複数のイメージに分割したアイテムに変換して、チケットイメージアイテムデータベースを構築する段階と、
(ｃ)前記注文型チケット発行サーバーは、前記ユーザコンピューターが前記通信網を介して接続すると、前記ユーザが適正なユーザであるか否かを確認して認証し、前記ユーザが適正なユーザでない場合には、会員加入の手続きにより前記ユーザを会員加入させ、前記ユーザコンピューターの接続を許容する段階と、
(ｄ)前記注文型チケット発行サーバーは、前記販売用チケット情報データベースに登録された前売り可能なチケットの情報を前記ユーザコンピューターに提供し、前記ユーザコンピューターから前記前売り可能なチケットの何れか一つ以上を選択されて前売り処理する段階と、
(ｅ)前記注文型チケット発行サーバーは、前記ユーザコンピューターから注文型チケットの製作を要請されると、前記チケットイメージアイテムデータベース上の注文型チケットの製作に必要なコンテンツを読み出し、前記ユーザコンピューターに提供する段階と、
(ｆ)前記注文型チケット発行サーバーは、前記ユーザが入力した注文型チケットの製作情報を前記ユーザコンピューターから提供され、前記注文型チケットの製作情報に対応する注文型チケットのイメージ情報を生成し、前記ユーザ情報または前記前売りに関連した情報と連携して格納する段階と、
(ｇ)前記注文型チケット発行サーバーは、前記前売りされたチケットを発行する所定の発券機から前記注文型チケットのイメージ情報を要請されると、これを読み出して前記発券機に提供する段階と、を含むことを特徴とする注文型チケットの発行方法。
【請求項２】
前記段階(ｆ)の前記注文型チケット発行サーバーは、
前記ユーザが入力した、前記ユーザコンピューター上に格納されている所定のイメージであるユーザイメージを前記注文型チケットのイメージに入れることを要請する情報が含まれている注文型チケットの製作情報を前記ユーザコンピューターから提供されると、前記ユーザイメージを前記ユーザコンピューターから提供されて、前記注文型チケットの製作情報に対応する注文型チケットのイメージ情報を生成し、前記ユーザ情報または前記前売りに関連した情報と連携して格納することを特徴とする請求項１に記載の注文型チケットの発行方法。
【請求項３】
前記段階(ｂ)は、
所定の注文型チケットを製作する場合、そのチケットに印刷されるイメージの位置を複数のケースに予め設定したチケットレイアウト情報を入力されて格納して、チケットレイアウトデータベースをさらに備え、
前記段階(ｅ)は、
前記チケットレイアウトデータベースに格納されているチケットレイアウト情報を読み出して、前記ユーザコンピューターに提供する段階をさらに含み、
前記段階(ｆ)は、
前記注文型チケット発行サーバーが、前記ユーザコンピューターから、前記ユーザが前記チケットレイアウト情報の何れか一つを選択した注文型チケットのレイアウトに関する情報をさらに提供され、前記注文型チケットのイメージ情報を前記注文型チケットのレイアウトに対応するように生成することを特徴とする請求項１に記載の注文型チケットの発行方法。
【請求項４】
前記段階(ｂ)の前記注文型チケット発行サーバーは、
前記公演会社コンピューターから前記公演のパンフレットイメージを含む公演コンテンツをさらに提供され、これを複数のイメージに分割したアイテムに変換し格納して、公演コンテンツアイテムデータベースをさらに構築し、
前記段階(ｅ)は、
前記前売りされたチケットと関連した公演コンテンツアイテムを前記公演コンテンツアイテムデータベースから読み出し、前記ユーザコンピューターにさらに提供することを特徴とする請求項１に記載の注文型チケットの発行方法。
【請求項５】
前記段階(ｂ)の前記注文型チケット発行サーバーは、
前記ユーザコンピューターから前記ユーザコンピューターに格納されている所定のコンテツを提供されて、これを格納した会員別のコンテンツデータベースをさらに構築し、
前記段階(ｅ)は、
前記ユーザと関連した所定のコンテンツを前記会員別のコンテンツデータベースから読み出し、前記ユーザコンピューターにさらに提供することを特徴とする請求項１に記載の注文型チケットの発行方法。
【請求項６】
前記段階(ｂ)は、
(ｂ１)前記注文型チケット発行サーバーは、前記ユーザコンピューターから、前記ユーザが会員加入している、会員に所定のアバターを提供する所定のインターネットサイトにログインするために必要な前記ユーザのＩＤ及びパスワードを含むログイン情報を提供される段階と、
(ｂ２)前記注文型チケット発行サーバーは、前記ログイン情報を前記インターネットサイトを運営するサーバーであるアバターサーバーに伝送し、前記アバターサーバーから前記会員のアバターイメージを提供され、これを前記会員別のコンテンツデータベースに格納する段階と、をさらに含むことを特徴とする請求項５に記載の注文型チケットの発行方法。
【請求項７】
前記段階(ｂ２)は、
前記注文型チケット発行サーバーが、前記アバターサーバーから前記アバターサーバーが販売する所定のアバターイメージを提供されて、これを前記ユーザコンピューターに提供し、前記ユーザコンピューターから前記アバターの購買要請と、前記アバターの購買に必要な決済情報を提供されて、これを前記アバターサーバーに提供し、前記アバターイメージを前記会員別のコンテンツデータベースに格納する段階をさらに含むことを特徴とする請求項６に記載の注文型チケットの発行方法。
【請求項８】
請求項１から７の何れか１項の方法をコンピューターで実行できるコンピュータープログラムを記録したコンピューターで読み取り可能な記録媒体。
【請求項９】
所定の公演チケットを購買するユーザのコンピューターであるユーザコンピューターと、前記チケットを発売する公演会社のコンピューターである公演会社コンピューターとが、インターネットを含む通信網を介して接続されており、前記ユーザの要請に応じて、前記チケットを前売りする注文型チケット発行サーバーであって、
前記公演会社コンピューターから、公演場所、公演時間、座席番号、チケットの値段の情報の何れか一つ以上を含む、販売するチケットの情報を提供されて、販売用チケット情報データベースを構築する販売用チケット情報管理部と、
前記販売するチケットのイメージ情報を提供され、これを複数のイメージに分割したアイテムに変換して、チケットイメージアイテムデータベースを構築するコンテンツ管理部と、
前記ユーザコンピューターが前記通信網を介して接続すると、前記ユーザが適正なユーザであるか否かを確認して認証し、前記ユーザが適正なユーザでない場合には、会員加入の手続きにより前記ユーザを会員加入させ、前記ユーザコンピューターの接続を許容する会員管理部と、
前記販売用チケット情報データベースに登録された前売り可能なチケットの情報を前記ユーザコンピューターに提供し、前記ユーザコンピューターから前記前売り可能なチケットの何れか一つ以上を選択されて、前売り処理するチケット前売り部と、
前記ユーザコンピューターから注文型チケットの製作を要請されると、前記チケットイメージアイテムデータベース上の注文型チケットの製作に必要なコンテンツを読み出して、前記ユーザコンピューターに提供し、前記ユーザが入力した注文型チケットの製作情報を前記ユーザコンピューターから提供されると、前記注文型チケットの製作情報に対応する注文型チケットのイメージ情報を生成し、前記ユーザ情報または前記前売りに関連した情報と連携して格納する注文型チケットイメージ生成部と、
前記前売りされたチケットを発行する所定の発券機から前記注文型チケットのイメージ情報を要請されると、これを読み出して前記発券機に提供する注文型チケット発行部と、を含むことを特徴とする注文型チケットの発行装置。
【請求項１０】
前記注文型チケットイメージ生成部は、
前記ユーザが入力した、前記ユーザコンピューター上に格納されている所定のイメージであるユーザイメージを前記注文型チケットのイメージに入れることを要請する情報が含まれている注文型チケットの製作情報を前記ユーザコンピューターから提供されると、前記ユーザイメージを前記ユーザコンピューターから提供されて、前記注文型チケットの製作情報に対応する注文型チケットのイメージ情報を生成し、前記ユーザ情報または前記前売りに関連した情報と連携して格納することを特徴とする請求項９に記載の注文型チケットの発行装置。
【請求項１１】
前記コンテンツ管理部は、
所定の注文型チケットを製作する場合、そのチケットに印刷されるイメージの位置を複数のケースに予め設定したチケットレイアウト情報を入力され、格納して、チケットレイアウトデータベースをさらに備え、
前記注文型チケットイメージ生成部は、
前記チケットレイアウトデータベースに格納されているチケットレイアウト情報を読み出し、前記ユーザコンピューターに提供した後、前記ユーザコンピューターから、前記ユーザが前記チケットレイアウト情報の何れか一つを選択した注文型チケットのレイアウトに関する情報をさらに提供され、前記注文型チケットのイメージ情報を前記注文型チケットのレイアウトに対応するように生成する機能をさらに行うことを特徴とする請求項９に記載の注文型チケットの発行装置。
【請求項１２】
前記コンテンツ管理部は、
前記公演会社コンピューターから前記公演のパンフレットイメージを含む公演コンテンツをさらに提供され、これを複数のイメージに分割したアイテムに変換し格納して、公演コンテンツアイテムデータベースをさらに構築し、
前記注文型チケットイメージ生成部は、
前記前売りされたチケットと関連した公演コンテンツアイテムを前記公演コンテンツアイテムデータベースから読み出し、前記ユーザコンピューターにさらに提供することを特徴とする請求項９に記載の注文型チケットの発行装置。
【請求項１３】
前記コンテンツ管理部は、
前記ユーザコンピューターから前記ユーザコンピューターに格納されている所定のコンテツを提供されて、これを格納した会員別のコンテンツデータベースをさらに構築し、
前記注文型チケットイメージ生成部は、
前記ユーザと関連した所定のコンテンツを前記会員別のコンテンツデータベースから読み出し、前記ユーザコンピューターにさらに提供することを特徴とする請求項９に記載の注文型チケットの発行装置。
【請求項１４】
前記コンテンツ管理部は、
前記ユーザコンピューターから、前記ユーザが会員加入している、会員に所定のアバターを提供する所定のインターネットサイトにログインするために必要な前記ユーザのＩＤ及びパスワードを含むログイン情報を提供され、前記ログイン情報を前記インターネットサイトを運営するサーバーであるアバターサーバーに伝送した後、前記アバターサーバーから前記会員のアバターイメージを提供され、これを前記会員別のコンテンツデータベースに格納する機能をさらに行うことを特徴とする請求項１３に記載の注文型チケットの発行装置。
【請求項１５】
前記コンテンツ管理部は、
前記ユーザコンピューターから、前記ユーザが会員加入している、会員に所定のアバターを提供する所定のインターネットサイトにログインするために必要な前記ユーザのＩＤ及びパスワードを含むログイン情報を提供され、前記ログイン情報を前記インターネットサイトを運営するサーバーであるアバターサーバーに伝送した後、前記アバターサーバーから前記アバターサーバーが販売する所定のアバターイメージを提供されて、これを前記ユーザコンピューターに提供し、前記ユーザコンピューターから前記アバターの購買要請と、前記アバターの購買に必要な決済情報を提供されて、これを前記アバターサーバーに提供し、前記アバターイメージを前記会員別のコンテンツデータベースに格納する段階をさらに含むことを特徴とする請求項１４に記載の注文型チケットの発行装置。
【請求項１６】
所定の公演チケットを所定の発券機を介して公演現場で発券する方法において、
(ａ)発券情報を管理する注文型チケット発行サーバーは、前記公演を主管する公演会社コンピューターから公演場所、公演時間、座席番号、チケットの値段の情報の何れか一つ以上を含む、販売するチケットの情報を提供されて、チケット発券情報データベースを構築し、前記公演と関連したイメージを提供された後、これを分割し、アイテムに生成及び格納して、公演コンテンツデータベースを構築する段階と、
(ｂ)前記発券機は、所定のチケット購買者から注文型チケットを発券するか否かを入力され、発券する場合には、前記注文型チケット発行サーバーに発券可能なチケットの情報を要請し、前記注文型チケット発行サーバーは、発券可能なチケットの情報を前記チケット発券情報データベースを検索して読み出す段階と、
(ｃ)前記発券機は、前記注文型チケット発行サーバーから前記発券可能なチケットの情報を提供され、これを出力し、前記チケット購買者が前記出力された発券可能なチケットの何れか一つを選択すると、これを前記注文型チケット発行サーバーに伝送する段階と、
(ｄ)前記注文型チケット発行サーバーは、前記選択されたチケットに関連した公演コンテンツを前記公演コンテンツデータベースを検索して読み出し、これを前記発券機に伝送する段階と、
(ｅ)前記発券機は、前記選択されたチケットの公演情報及び前記公演コンテンツに基づいて注文型チケットを編集処理した後、前記編集されたチケットを発券する段階と、を含むことを特徴とする注文型チケットの発行方法。
【請求項１７】
前記段階(ａ)は、
前記注文型チケット発行サーバーは、会員加入の手続きにより所定のユーザを会員加入させ、前記会員別に所定のイメージコンテンツを入力されて、これを格納し、会員別のコンテンツデータベースを構築する段階をさらに含み、
前記段階(ｃ)は、
前記発券機は、前記チケット購買者から所定の会員ＩＤ及びパスワードをさらに入力され、これを前記注文型チケット発行サーバーに伝送し、
前記段階(ｄ)は、
前記注文型チケット発行サーバーは、前記会員ＩＤ及びパスワードを予め格納されている会員ＩＤ及びパスワードに基づいて会員認証を行い、前記会員認証が成功すると、前記会員別のコンテンツデータベース上の前記会員ＩＤに対応する所定の会員コンテンツを読み出して、これを前記発券機に伝送し、
前記段階(ｅ)は、
前記発券機は、前記選択されたチケットの公演情報、前記公演コンテンツ及び前記会員コンテンツに基づいて注文型チケットを編集処理した後、前記編集されたチケットを発券する段階であることを特徴とする請求項１６に記載の注文型チケットの発行方法。
【請求項１８】
前記段階(ｃ)は、
前記発券機は、前記チケット購買者から所定の他のインターネットサイト情報、所定の会員ＩＤ及びパスワードをさらに入力され、これを前記注文型チケット発行サーバーに伝送し、
前記段階(ｄ)は、
前記注文型チケット発行サーバーは、前記他のインターネットサイトのサーバーに前記会員ＩＤ及びパスワードを伝送しながら、前記会員ＩＤに対応するコンテンツの伝送を要請した後、前記他のインターネットサイトのサーバーから所定の他のインターネットサイトのコンテンツを伝送されて、これを前記発券機に伝送し、
前記段階(ｅ)は、
前記発券機は、前記選択されたチケットの公演情報、前記公演コンテンツ及び前記他のインターネットサイトのコンテンツに基づいて注文型チケットを編集処理した後、前記編集されたチケットを発券する段階であることを特徴とする請求項１６に記載の注文型チケットの発行方法。
【請求項１９】
請求項１６から１８の方法をコンピューターで実行できるコンピュータープログラムを記録したコンピューターで読み取り可能な記録媒体。
【請求項２０】
所定の公演チケットを所定の発券機を介して公演現場で発券する発券システムにおいて、
前記公演を主管する公演会社コンピューターから公演場所、公演時間、座席番号、チケットの値段の情報の何れか一つ以上を含む、販売するチケットの情報を提供されて、チケット発券情報データベースを構築し、前記公演に関連したイメージを提供された後、これを分割し、アイテムに生成及び格納して、公演コンテンツデータベースを構築し、前記発券機から要請がある場合、前記チケット情報または公演コンテンツを読み出して提供する注文型発行サーバーと、
所定のチケット購買者から注文型チケットを発券するか否かを入力され、発券する場合には、前記注文型チケット発行サーバーに発券可能なチケットの情報を要請し、  前記注文型チケット発行サーバーから前記発券可能なチケットの情報を提供されて、これを出力し、前記チケット購買者が前記出力された発券可能なチケットの何れか一つを選択される発券チケット選択部と、
前記発券チケット選択部から前記選択されたチケット情報を提供されて、前記選択されたチケットと関連した公演コンテンツを前記注文型チケット発行サーバーに要請し、伝送される公演コンテンツ受信部と、
前記選択されたチケットの公演情報を前記発券チケット選択部から提供され、前記公演コンテンツを前記公演コンテンツ受信部から提供されて、これらに基づいて注文型チケットを編集処理した後、前記編集されたチケットを発券する発券部と、を含む発券機を備えることを特徴とする注文型チケットの発行システム。
【請求項２１】
前記注文型チケット発行サーバーは、
会員加入の手続きにより所定のユーザを会員加入させ、前記会員別に所定のイメージコンテンツを入力され、これを格納して、会員別のコンテンツデータベースをさらに構築した後、前記発券機の要請に応じて、前記会員別のコンテンツを提供し、
前記発券機の公演コンテンツ受信部は、
前記チケット購買者から所定の会員ＩＤ及びパスワードをさらに入力され、これを前記注文型チケット発行サーバーに伝送した後、前記会員ＩＤに対応する会員別のコンテンツを受信し、
前記発券機の発券部は、
前記選択されたチケットの公演情報を前記発券チケット選択部から提供され、前記公演コンテンツ及び前記会員コンテンツを前記公演コンテンツ受信部から提供されて、これに基づいて注文型チケットを編集処理した後、前記編集されたチケットを発券することを特徴とする請求項２０に記載の注文型チケットの発行システム。
【請求項２２】
前記発券機の公演コンテンツ受信部は、
前記チケット購買者から所定の他のインターネットサイト情報、所定の会員ＩＤ及びパスワードを入力され、これを前記注文型チケット発行サーバーに伝送し、前記注文型チケット発行サーバーが、前記他のインターネットサイトのサーバーに前記会員ＩＤ及びパスワードを伝送しながら、前記会員ＩＤに対応するコンテンツの伝送を要請した後、前記他のインターネットサイトのサーバーから伝送された所定の他のサイトのコンテンツを伝送され、
前記発券機の発券部は、前記選択されたチケットの公演情報を前記発券チケット選択部から提供され、前記公演コンテンツ及び前記他のインターネットサイトのコンテンツを前記公演コンテンツ受信部から提供されて、これに基づいて注文型チケットを編集処理した後、前記編集されたチケットを発券することを特徴とする請求項２０に記載の注文型チケットの発行システム。
【発明の詳細な説明】
【技術分野】
【０００１】
本発明は、インターネットなどの通信網を介して所定の公演チケットを前売りし、そのチケットのイメージをユーザが編集、製作できる注文型チケットの発行方法及びその装置に関する。
【背景技術】
【０００２】
従来では、映画、演劇、音楽会などの公演チケットを購買する購買者に、同様のチケットが販売されていた。つまり、同じ公演を観覧する購買者に、公演日時、座席などの情報は異なるが、その形態や印刷されるイメージは同様のチケットが配られていた。ところが、このような従来のチケットでは、購買者の多様な欲求を満たすことができないという問題点があった。即ち、特定公演のチケットの購入を希望する購買者は、人とは異なる自分だけの固有なデザインのチケットを求めることがあり、特に、結婚記念日、誕生日などのいろいろな記念日に特定公演を観覧したり、他人の記念日に公演チケットをプレゼントしたい場合、その記念日の内容がデザインされたチケットを求めることがあるが、従来の方法ではこのような購買者の欲求を満たすことができなかった。
【発明の開示】
【０００３】
本発明は、前記のような問題点を解決するために案出したものであって、本発明の技術的な課題は、所定の公演チケットを購買する購買者が、自分だけのチケットを製作して発給できる注文型チケットの発行方法及びその装置を提供することにある。
また、本発明は、前記注文型チケットを公演現場で発行する注文型チケットの発行方法及びそのシステムを提供することにその課題がある。
【０００４】
本発明は、上述した問題点を解決するために、本発明による注文型チケットの発行方法は、所定の公演チケットを購買するユーザのコンピューターであるユーザコンピューターと、前記チケットを発売する公演会社のコンピューターである公演会社コンピューターとが、インターネットを含む通信網を介して接続されており、前記ユーザの要請に応じて、前記チケットを前売りする注文型チケット発行サーバーで、注文型チケットを発行する方法であって、(ａ)前記注文型チケット発行サーバーは、前記公演会社コンピューターから、公演場所、公演時間、座席番号、チケットの値段の情報の何れか一つ以上を含む、販売するチケットの情報を提供されて、販売用チケット情報データベースを構築する段階と、(ｂ)前記注文型チケット発行サーバーは、前記販売するチケットのイメージ情報を提供され、これを複数のイメージに分割したアイテムに変換して、チケットイメージアイテムデータベースを構築する段階と、(ｃ)前記注文型チケット発行サーバーは、前記ユーザコンピューターが前記通信網を介して接続すると、前記ユーザが適正なユーザであるか否かを確認して認証し、前記ユーザが適正なユーザでない場合には、会員加入の手続きにより前記ユーザを会員加入させ、前記ユーザコンピューターの接続を許容する段階と、(ｄ)前記注文型チケット発行サーバーは、前記販売用チケット情報データベースに登録された前売り可能なチケットの情報を前記ユーザコンピューターに提供し、前記ユーザコンピューターから前記前売り可能なチケットの何れか一つ以上を選択されて前売り処理する段階と、(ｅ)前記注文型チケット発行サーバーは、前記ユーザコンピューターから注文型チケットの製作を要請されると、前記チケットイメージアイテムデータベース上の注文型チケットの製作に必要なコンテンツを読み出し、前記ユーザコンピューターに提供する段階と、(ｆ)前記注文型チケット発行サーバーは、前記ユーザが入力した注文型チケットの製作情報を前記ユーザコンピューターから提供され、前記注文型チケットの製作情報に対応する注文型チケットのイメージ情報を生成し、前記ユーザ情報または前記前売りに関連した情報と連携して格納する段階と、(ｇ)前記注文型チケット発行サーバーは、前記前売りされたチケットを発行する所定の発券機から前記注文型チケットのイメージ情報を要請されると、これを読み出して前記発券機に提供する段階と、を含むことを特徴とする。
【０００５】
また、前記注文型チケットの発行方法の前記段階(ｆ)の前記注文型チケット発行サーバーは、前記ユーザが入力した、前記ユーザコンピューター上に格納されている所定のイメージであるユーザイメージを前記注文型チケットのイメージに入れることを要請する情報が含まれている注文型チケットの製作情報を前記ユーザコンピューターから提供されると、前記ユーザイメージを前記ユーザコンピューターから提供されて、前記注文型チケットの製作情報に対応する注文型チケットのイメージ情報を生成し、前記ユーザ情報または前記前売りに関連した情報と連携して格納することを特徴とする。
【０００６】
また、前記注文型チケットの発行方法は、前記段階(ｂ)は、所定の注文型チケットを製作する場合、そのチケットに印刷されるイメージの位置を複数のケースに予め設定したチケットレイアウト情報を入力されて格納して、チケットレイアウトデータベースをさらに備え、前記段階(ｅ)は、前記チケットレイアウトデータベースに格納されているチケットレイアウト情報を読み出して、前記ユーザコンピューターに提供する段階をさらに含み、前記段階(ｆ)は、前記注文型チケット発行サーバーが、前記ユーザコンピューターから、前記ユーザが前記チケットレイアウト情報の何れか一つを選択した注文型チケットのレイアウトに関する情報をさらに提供され、前記注文型チケットのイメージ情報を前記注文型チケットのレイアウトに対応するように生成することを特徴とする。
【０００７】
また、前記注文型チケットの発行方法の前記段階(ｂ)の前記注文型チケット発行サーバーは、前記公演会社コンピューターから前記公演のパンフレットイメージを含む公演コンテンツをさらに提供され、これを複数のイメージに分割したアイテムに変換し格納して、公演コンテンツアイテムデータベースをさらに構築し、前記段階(ｅ)は、前記前売りされたチケットと関連した公演コンテンツアイテムを前記公演コンテンツアイテムデータベースから読み出し、前記ユーザコンピューターにさらに提供することを特徴とする。
【０００８】
また、前記注文型チケットの発行方法の前記段階(ｂ)の前記注文型チケット発行サーバーは、前記ユーザコンピューターから前記ユーザコンピューターに格納されている所定のコンテツを提供されて、これを格納した会員別のコンテンツデータベースをさらに構築し、前記段階(ｅ)は、前記ユーザと関連した所定のコンテンツを前記会員別のコンテンツデータベースから読み出し、前記ユーザコンピューターにさらに提供することを特徴とする。
【０００９】
また、前記注文型チケットの発行方法の前記段階(ｂ)は、(ｂ１)前記注文型チケット発行サーバーは、前記ユーザコンピューターから、前記ユーザが会員加入している、会員に所定のアバターを提供する所定のインターネットサイトにログインするために必要な前記ユーザのＩＤ及びパスワードを含むログイン情報を提供される段階と、(ｂ２)前記注文型チケット発行サーバーは、前記ログイン情報を前記インターネットサイトを運営するサーバーであるアバターサーバーに伝送し、前記アバターサーバーから前記会員のアバターイメージを提供され、これを前記会員別のコンテンツデータベースに格納する段階と、をさらに含むことを特徴とし、前記段階(ｂ２)は、前記注文型チケット発行サーバーが、前記アバターサーバーから前記アバターサーバーが販売する所定のアバターイメージを提供されて、これを前記ユーザコンピューターに提供し、前記ユーザコンピューターから前記アバターの購買要請と、前記アバターの購買に必要な決済情報を提供されて、これを前記アバターサーバーに提供し、前記アバターイメージを前記会員別のコンテンツデータベースに格納する段階をさらに含むことを特徴とする。
【００１０】
上述した問題点を解決するための本発明による注文型チケットの発行装置は、所定の公演チケットを購買するユーザのコンピューターであるユーザコンピューターと、前記チケットを発売する公演会社のコンピューターである公演会社コンピューターとが、インターネットを含む通信網を介して接続されており、前記ユーザの要請に応じて、前記チケットを前売りする注文型チケット発行サーバーであって、前記公演会社コンピューターから、公演場所、公演時間、座席番号、チケットの値段の情報の何れか一つ以上を含む、販売するチケットの情報を提供されて、販売用チケット情報データベースを構築する販売用チケット情報管理部と、前記販売するチケットのイメージ情報を提供され、これを複数のイメージに分割したアイテムに変換して、チケットイメージアイテムデータベースを構築するコンテンツ管理部と、前記ユーザコンピューターが前記通信網を介して接続すると、前記ユーザが適正なユーザであるか否かを確認して認証し、前記ユーザが適正なユーザでない場合には、会員加入の手続きにより前記ユーザを会員加入させ、前記ユーザコンピューターの接続を許容する会員管理部と、前記販売用チケット情報データベースに登録された前売り可能なチケットの情報を前記ユーザコンピューターに提供し、前記ユーザコンピューターから前記前売り可能なチケットの何れか一つ以上を選択されて、前売り処理するチケット前売り部と、前記ユーザコンピューターから注文型チケットの製作を要請されると、前記チケットイメージアイテムデータベース上の注文型チケットの製作に必要なコンテンツを読み出して、前記ユーザコンピューターに提供し、前記ユーザが入力した注文型チケットの製作情報を前記ユーザコンピューターから提供されると、前記注文型チケットの製作情報に対応する注文型チケットのイメージ情報を生成し、前記ユーザ情報または前記前売りに関連した情報と連携して格納する注文型チケットイメージ生成部と、前記前売りされたチケットを発行する所定の発券機から前記注文型チケットのイメージ情報を要請されると、これを読み出して前記発券機に提供する注文型チケット発行部と、を含むことを特徴とする。
【００１１】
前記注文型チケットの発行装置の前記注文型チケットイメージ生成部は、前記ユーザが入力した、前記ユーザコンピューター上に格納されている所定のイメージであるユーザイメージを前記注文型チケットのイメージに入れることを要請する情報が含まれている注文型チケットの製作情報を前記ユーザコンピューターから提供されると、前記ユーザイメージを前記ユーザコンピューターから提供されて、前記注文型チケットの製作情報に対応する注文型チケットのイメージ情報を生成し、前記ユーザ情報または前記前売りに関連した情報と連携して格納することを特徴とする。
【００１２】
前記注文型チケットの発行装置の前記コンテンツ管理部は、所定の注文型チケットを製作する場合、そのチケットに印刷されるイメージの位置を複数のケースに予め設定したチケットレイアウト情報を入力し、格納して、チケットレイアウトデータベースをさらに備え、前記注文型チケットイメージ生成部は、前記チケットレイアウトデータベースに格納されているチケットレイアウト情報を読み出し、前記ユーザコンピューターに提供した後、前記ユーザコンピューターから、前記ユーザが前記チケットレイアウト情報の何れか一つを選択した注文型チケットのレイアウトに関する情報をさらに提供され、前記注文型チケットのイメージ情報を前記注文型チケットのレイアウトに対応するように生成する機能をさらに行うことを特徴とする。
【００１３】
前記注文型チケットの発行装置の前記コンテンツ管理部は、前記公演会社コンピューターから前記公演のパンフレットイメージを含む公演コンテンツをさらに提供され、これを複数のイメージに分割したアイテムに変換し格納して、公演コンテンツアイテムデータベースをさらに構築し、前記注文型チケットイメージ生成部は、前記前売りされたチケットと関連した公演コンテンツアイテムを前記公演コンテンツアイテムデータベースから読み出し、前記ユーザコンピューターにさらに提供することを特徴とする。
【００１４】
前記注文型チケットの発行装置の前記コンテンツ管理部は、前記ユーザコンピューターから前記ユーザコンピューターに格納されている所定のコンテツを提供されて、これを格納した会員別のコンテンツデータベースをさらに構築し、前記注文型チケットイメージ生成部は、前記ユーザと関連した所定のコンテンツを前記会員別のコンテンツデータベースから読み出し、前記ユーザコンピューターにさらに提供することを特徴とする。
【００１５】
前記注文型チケットの発行装置の前記コンテンツ管理部は、前記ユーザコンピューターから、前記ユーザが会員加入している、会員に所定のアバターを提供する所定のインターネットサイトにログインするために必要な前記ユーザのＩＤ及びパスワードを含むログイン情報を提供され、前記ログイン情報を前記インターネットサイトを運営するサーバーであるアバターサーバーに伝送した後、前記アバターサーバーから前記会員のアバターイメージを提供され、これを前記会員別のコンテンツデータベースに格納する機能をさらに行うことを特徴とする。
【００１６】
前記注文型チケットの発行装置の前記コンテンツ管理部は、前記ユーザコンピューターから、前記ユーザが会員加入している、会員に所定のアバターを提供する所定のインターネットサイトにログインするために必要な前記ユーザのＩＤ及びパスワードを含むログイン情報を提供され、前記ログイン情報を前記インターネットサイトを運営するサーバーであるアバターサーバーに伝送した後、前記アバターサーバーから前記アバターサーバーが販売する所定のアバターイメージを提供されて、これを前記ユーザコンピューターに提供し、前記ユーザコンピューターから前記アバターの購買要請と、前記アバターの購買に必要な決済情報を提供されて、これを前記アバターサーバーに提供し、前記アバターイメージを前記会員別のコンテンツデータベースに格納する段階をさらに含むことを特徴とする。
【００１７】
上述した問題点を解決するための本発明の他の注文型チケットの発行方法は、所定の公演チケットを所定の発券機を介して公演現場で発券する方法において、(ａ)発券情報を管理する注文型チケット発行サーバーは、前記公演を主管する公演会社コンピューターから公演場所、公演時間、座席番号、チケットの値段の情報の何れか一つ以上を含む、販売するチケットの情報を提供されて、チケット発券情報データベースを構築し、前記公演と関連したイメージを提供された後、これを分割し、アイテムに生成及び格納して、公演コンテンツデータベースを構築する段階と、(ｂ)前記発券機は、所定のチケット購買者から注文型チケットを発券するか否かを入力され、発券する場合には、前記注文型チケット発行サーバーに発券可能なチケットの情報を要請し、前記注文型チケット発行サーバーは、発券可能なチケットの情報を前記チケット発券情報データベースを検索して読み出す段階と、(ｃ)前記発券機は、前記注文型チケット発行サーバーから前記発券可能なチケットの情報を提供され、これを出力し、前記チケット購買者が前記出力された発券可能なチケットの何れか一つを選択すると、これを前記注文型チケット発行サーバーに伝送する段階と、(ｄ)前記注文型チケット発行サーバーは、前記選択されたチケットに関連した公演コンテンツを前記公演コンテンツデータベースを検索して読み出し、これを前記発券機に伝送する段階と、(ｅ)前記発券機は、前記選択されたチケットの公演情報及び前記公演コンテンツに基づいて注文型チケットを編集処理した後、前記編集されたチケットを発券する段階と、を含むことを特徴とする。
【００１８】
また、前記注文型チケットの発行方法の前記段階(ａ)は、前記注文型チケット発行サーバーは、会員加入の手続きにより所定のユーザを会員加入させ、前記会員別に所定のイメージコンテンツを入力されて、これを格納し、会員別のコンテンツデータベースを構築する段階をさらに含み、前記段階(ｃ)は、前記発券機は、前記チケット購買者から所定の会員ＩＤ及びパスワードをさらに入力され、これを前記注文型チケット発行サーバーに伝送し、前記段階(ｄ)は、前記注文型チケット発行サーバーは、前記会員ＩＤ及びパスワードを予め格納されている会員ＩＤ及びパスワードに基づいて会員認証を行い、前記会員認証が成功すると、前記会員別のコンテンツデータベース上の前記会員ＩＤに対応する所定の会員コンテンツを読み出して、これを前記発券機に伝送し、前記段階(ｅ)は、前記発券機は、前記選択されたチケットの公演情報、前記公演コンテンツ及び前記会員コンテンツに基づいて注文型チケットを編集処理した後、前記編集されたチケットを発券する段階であることを特徴とする。
【００１９】
また、前記注文型チケットの発行方法の前記段階(ｃ)は、前記発券機は、前記チケット購買者から所定の他のインターネットサイト情報、所定の会員ＩＤ及びパスワードをさらに入力され、これを前記注文型チケット発行サーバーに伝送し、前記段階(ｄ)は、前記注文型チケット発行サーバーは、前記他のインターネットサイトのサーバーに前記会員ＩＤ及びパスワードを伝送しながら、前記会員ＩＤに対応するコンテンツの伝送を要請した後、前記他のインターネットサイトのサーバーから所定の他のインターネットサイトのコンテンツを伝送されて、これを前記発券機に伝送し、前記段階(ｅ)は、前記発券機は、前記選択されたチケットの公演情報、前記公演コンテンツ及び前記他のインターネットサイトのコンテンツに基づいて注文型チケットを編集処理した後、前記編集されたチケットを発券する段階であることを特徴とする。
【００２０】
上述した問題点を解決するための本発明による注文型チケットの発行システムは、所定の公演チケットを所定の発券機を介して公演現場で発券する発券システムにおいて、前記公演を主管する公演会社コンピューターから公演場所、公演時間、座席番号、チケットの値段の情報の何れか一つ以上を含む、販売するチケットの情報を提供されて、チケット発券情報データベースを構築し、前記公演と関連したイメージを提供された後、これを分割し、アイテムに生成及び格納して、公演コンテンツデータベースを構築し、前記発券機から要請がある場合、前記チケット情報または公演コンテンツを読み出して提供する注文型発行サーバーと、所定のチケット購買者から注文型チケットを発券するか否かを入力され、発券する場合には、前記注文型チケット発行サーバーに発券可能なチケットの情報を要請し、前記注文型チケット発行サーバーから前記発券可能なチケットの情報を提供されて、これを出力し、前記チケット購買者が前記出力された発券可能なチケットの何れか一つを選択される発券チケット選択部と、前記発券チケット選択部から前記選択されたチケット情報を提供されて、前記選択されたチケットに関連した公演コンテンツを前記注文型チケット発行サーバーに要請し、伝送される公演コンテンツ受信部と、前記選択されたチケットの公演情報を前記発券チケット選択部から提供され、前記公演コンテンツを前記公演コンテンツ受信部から提供されて、これらに基づいて注文型チケットを編集処理した後、前記編集されたチケットを発券する発券部と、を含む発券機を備えることを特徴とする。
【００２１】
また、前記注文型チケットの発行システムの前記注文型チケット発行サーバーは、会員加入の手続きにより所定のユーザを会員加入させ、前記会員別に所定のイメージコンテンツを入力され、これを格納して、会員別のコンテンツデータベースをさらに構築した後、前記発券機の要請に応じて、前記会員別のコンテンツを提供し、前記発券機の公演コンテンツ受信部は、前記チケット購買者から所定の会員ＩＤ及びパスワードをさらに入力され、これを前記注文型チケット発行サーバーに伝送した後、前記会員ＩＤに対応する会員別のコンテンツを受信し、前記発券機の発券部は、前記選択されたチケットの公演情報を前記発券チケット選択部から提供され、前記公演コンテンツ及び前記会員コンテンツを前記公演コンテンツ受信部から提供されて、これに基づいて注文型チケットを編集処理した後、前記編集されたチケットを発券することを特徴とする。
【００２２】
また、前記注文型チケットの発行システムの前記発券機の公演コンテンツ受信部は、前記チケット購買者から所定の他のインターネットサイト情報、所定の会員ＩＤ及びパスワードを入力され、これを前記注文型チケット発行サーバーに伝送し、前記注文型チケット発行サーバーが、前記他のインターネットサイトのサーバーに前記会員ＩＤ及びパスワードを伝送しながら、前記会員ＩＤに対応するコンテンツの伝送を要請した後、前記他のインターネットサイトのサーバーから伝送された所定の他のサイトのコンテンツを伝送され、前記発券機の発券部は、前記選択されたチケットの公演情報を前記発券チケット選択部から提供され、前記公演コンテンツ及び前記他のインターネットサイトのコンテンツを前記公演コンテンツ受信部から提供されて、これに基づいて注文型チケットを編集処理した後、前記編集されたチケットを発券することを特徴とする。
【発明を実施するための最良の形態】
【００２３】
以下、図面を参照して本発明の望ましい実施形態を詳しく説明する。
【００２４】
図１は、本発明による注文型チケットが発行される全体システムの構成図である。参照番号１０１は、ユーザコンピューターであって、ユーザは、インターネットなどの通信網により注文型チケット発行サーバー１０２と接続されている自分のコンピューターを介して、映画、演劇、音楽会などの公演チケットを前売りし、前売りしたチケットのデザインを編集する。
【００２５】
参照番号１０２は、ユーザに公演チケットを前売り販売し、ユーザの前売りしたチケットを自分で編集できるようにする機能を行う。
【００２６】
参照番号１０３は、公演会社コンピューターであって、前記注文型チケット発行サーバーに販売するチケットに関する情報、及び前記チケットに関連した公演のパンフレットなどのイメージコンテンツを提供する機能を行う。
【００２７】
図２は、本発明による注文型チケットを発行する方法において、公演会社からコンテンツが提供される過程のデータ流れ図である。参照までに、２０１ないし２０７の全てのデータ処理過程(プロセス)は、前記注文型チケット発行サーバー１０２で行われる。
【００２８】
まず、注文型チケット発行サーバーは、管理者から、発行する公演チケットの形態に関する情報であるチケットレイアウト情報を入力され、チケットレイアウトＤＢに格納(２０１)する。ここで、チケットレイアウトとは、チケットの必須コンテンツ(例えば、バーコード、公演のタイトルなど)と、ユーザ任意のコンテンツとの領域の配置のことをいう。例えば、縦型のレイアウトの場合、チケットの上方からバーコード、公演のタイトル、ユーザが選択したコンテンツのイメージを配置することができる。
【００２９】
その後、注文型チケット発行サーバーは、公演会社側の関係者が公演会社コンピューターを介して注文型チケット発行サーバーにログインすると、これを認証(２０２)して許容し、前記公演会社コンピューターから、販売するチケットのソースイメージを提供されて格納(２０３)し、販売用チケット情報を提供されて格納(２０５)し、公演ソースコンテンツを提供されて、これを格納(２０６)する。
【００３０】
ここで、チケットソースイメージとは、ユーザがチケットのデザインを編集する前の従来のチケットのイメージをいう。また、販売用チケット情報とは、公演日時、座席、公演のタイトル、値段などに関する情報をいう。また、公演ソースコンテンツとは、ユーザのチケットのイメージの編集時に提供される公演に関連したコンテンツをいい、代表的なものとして、公演のパンフレットイメージが該当する。
【００３１】
その後、注文型チケット発行サーバーは、前記格納されたチケットソースイメージを加工して、チケットのイメージをアイテム化して、これを格納(２０４)し、公演ソースコンテンツもアイテム化して、これを格納(２０７)する。ここで、アイテム化とは、あるソースのイメージを任意の大きさ、または主題別に分割して、ユーザが前売りしたチケットに組み合わせて使用できるようにすることをいう。例えば、公演ソースコンテンツとして提供されたある映画の一場面であるイメージに、軍人、鉄兜、鉄砲、役者の写真などがあれば、これをそれぞれ分割し、複数のイメージに分けて格納することをいう。
【００３２】
図３は、本発明による注文型チケットを発行する方法において、ユーザからコンテンツが提供される過程のデータ流れ図である。図３における全ての過程も注文型チケット発行サーバーで行われる。
【００３３】
注文型チケット発行サーバーは、ユーザがログインの要請を行うと、これを認証処理(３０１)し、接続を許容する。その後、ユーザからユーザコンピューターに格納されているコンテンツ(イメージ)を提供されて、これを格納(３０２)する。即ち、ユーザコンピューターのイメージをアップロードし、会員別に格納するのである。
【００３４】
図４は、本発明による注文型チケットを発行する方法において、アバターコンテンツが提供される過程のデータ流れ図である。本発明では、他のインターネットサイトで会員に提供されるアバターイメージを用いて、ユーザが公演チケットを編集する方法を提供する。図４の４０３、４０４、４０５の過程は、アバターサービスを提供する他のインターネットサイトで行われ、４０１、４０２、４０６、４０７、４０８の過程は、本発明による注文型チケット発行サーバーで行われる。
【００３５】
まず、ユーザは、自分のコンピューターを介して注文型チケット発行サーバーにログインすると、注文型チケット発行サーバーは、ユーザを認証処理(４０１)する。その後、注文型チケット発行サーバーは、前記ユーザが会員加入している、アバターサービスを提供するインターネットサイトへの前記ユーザのログイン情報を提供され(４０２)、これに基づいて前記アバターサービスを提供するインターネットサイトに接続する。
【００３６】
アバターサービスを提供するインターネットサイトは、これに対応して前記ユーザ情報を認証処理(４０３)し、前記ユーザに与えられたアバターイメージを読み出し、これを注文型チケット発行サーバーに提供(４０４)する。注文型チケット発行サーバーは、これをディスプレイ(４０６)し、ユーザの確認を行い、会員別にアバターイメージを格納(４０８)する。
【００３７】
一方、段階４０３の以後、アバターサービスを提供するインターネットサイトは、ユーザの要請に応じて、前記アバターサービスを提供するインターネットサイトで販売しているアバターショップのアバターアイテムを伝送(４０５)すると、注文型チケット発行サーバーは、前記伝送されたアバターをディスプレイ(４０６)し、ユーザが前記ディスプレイされたアバターの何れか一つの購買を所望すると、決済処理(４０７)を行い、前記ユーザ情報に連携して会員別にアバターを格納(４０８)する。
【００３８】
図５は、本発明による注文型チケットを発行する方法の全体データ流れ図である。図５において、５０１ないし５０４の過程は、注文型チケット発行サーバーで行われ、段階５０５及び５０６は、所定のチケットを発行する発券機で行われる。
【００３９】
まず、注文型チケット発行サーバーは、ユーザが前売り登録(５０１)すると、前売り登録のチケットに対して、支払いの処理(決済)(５０２)を行う。その後、ユーザの要請に応じて、前売りしたチケットのデザインを編集し、注文型チケットを製作(５０３)する。この時、注文型チケット発行サーバーは、チケットのレイアウト、前記ユーザの個別的なコンテンツ、チケットのイメージを処理して得られたチケットイメージアイテム、公演コンテンツを処理して得られた公演コンテンツアイテムをユーザに提供し、ユーザは、前記提供された資料を用いて注文型チケットを製作することができる。
【００４０】
その後、ユーザは、チケットを発給(発行)できる発券機に、前記前売りしたチケットに関する情報を入力(５０５)すると、発券機は、前記注文型チケット発行サーバーから前記製作された注文型チケットのイメージを提供され、これを注文型チケットプリンターを用いて出力(５０６)する。ユーザが注文型チケットではなく従来のチケットの発給を選択する場合にも、チケットプリンターを用いて発券することができる。
【００４１】
図６は、本発明による注文型チケットを発行する方法において、ユーザが注文型チケットを製作する方法のデータ流れ図である。図６は、図５の段階５０３(注文型チケットの製作)をより詳しく説明する図である。まず、注文型チケット発行サーバーは、ユーザがチケットの前売りを要請すると、チケットの前売り処理(６０１)を行い、チケットレイアウト情報をユーザに提供し、ユーザがその中の一つを選択すると、これを設定(６０２)する。ユーザが設定されたレイアウトに従って、入れたいイメージを指定すると、注文型チケット発行サーバーは、詳細コンテンツを適用(６０３)させ、これを格納(６０４)する。もし、ユーザが、一度製作した注文型チケットを修正しようとする場合には、段階６０２に戻り、修正することができる。
【００４２】
図７は、本発明による注文型チケット製作方法の望ましい実施形態の流れ図である。まず、ユーザは、ユーザコンピューターを介して注文型チケット発行サーバーに接続するが、この時、会員加入及び認証(７０１)の手続きが行われる。注文型チケットサーバーは、前記ユーザが接続すると、前売り可能なチケットの情報を読み出し(７０２)、これをユーザコンピューターに伝送し、ユーザがユーザコンピューターに入力した前売りするチケットの選択情報及び決済手段情報(７０３)を提供されて、前売り及び決済の処理(７０４)を行い、その結果情報をユーザコンピューターに提供する。
【００４３】
ユーザコンピューターは、ユーザが、前記前売りしたチケットのデザインを編集して注文型チケットを製作することを要請(７０５)する情報を入力すると、これを注文型チケット発行サーバーに提供し、注文型チケット発行サーバーは、チケットの製作に必要なコンテンツを読み出し(７０６)、これをユーザコンピューターに提供する。ここで、チケットの製作に必要なコンテンツには、製作するチケットのレイアウトに関する情報、会員別(ユーザ別)の個別的なコンテンツ、従来のチケットのイメージをアイテム化したコンテンツ、前記チケットに対応する公演コンテンツをアイテム化したコンテンツなどが含まれる。
【００４４】
ユーザコンピューターは、ユーザが注文型チケットの製作情報を入力(７０７)すると、これを注文型チケット発行サーバーに提供するが、この時、ユーザコンピューターに格納されている任意のコンテンツを注文型チケット発行サーバーに提供しながら、チケットに前記コンテンツを入れることを要請することができる。
【００４５】
注文型チケット発行サーバーは、前記注文型チケットのイメージ情報を生成して格納(７０８)する。
【００４６】
図８は、本発明による注文型チケットの発行方法の望ましい実施形態の流れ図である。発券機は、ユーザが前売りしたチケットに関する情報である発券情報を入力(８０１)すると、これを注文型チケット発行サーバーに提供する。注文型チケット発行サーバーは、前記発券情報に基づいて、発券するチケット情報を読み出して(８０２)、これを発券機に提供し、発券機は、前記提供されたチケット情報に基づいて、注文型チケットを印刷して出力(８０３)し、ユーザに提供する。その後、チケット発行情報を注文型チケット発行サーバーに提供すると、注文型チケット発行サーバーは、前記情報を格納(８０４)する。
【００４７】
図９は、本発明による注文型チケット発行サーバーの望ましい実施形態のブロック構成図である。
【００４８】
販売用チケット情報管理部９０１は、公演会社コンピューターから公演場所、公演時間、座席番号、チケットの値段の情報の何れか一つ以上を含む、販売するチケットの情報を提供され、販売用チケット情報データベースを構築する機能を行う。
【００４９】
コンテンツ管理部９０２は、前記販売するチケットのイメージ情報を提供され、これを複数のイメージに分割したアイテムに変換し、チケットイメージアイテムデータベースを構築する。
【００５０】
また、前記コンテンツ管理部は、所定の注文型チケットを製作する場合、そのチケットに印刷されるイメージの位置を複数のケースに予め設定したチケットレイアウト情報を入力されて格納し、チケットレイアウトデータベースをさらに備えることができる。
【００５１】
また、前記コンテンツ管理部は、前記公演会社コンピューターから前記公演のパンフレットイメージを含む公演コンテンツをさらに提供され、これを複数のイメージに分割したアイテムに変換し格納して、公演コンテンツアイテムデータベースをさらに構築することができる。
【００５２】
また、前記コンテンツ管理部は、前記ユーザコンピューターから前記ユーザコンピューターに格納されている所定のコンテツを提供され、これを格納した会員別のコンテンツデータベースをさらに構築することもできる。
【００５３】
また、前記コンテンツ管理部は、前記ユーザコンピューターから、前記ユーザが会員加入している、会員に所定のアバターを提供する所定のインターネットサイトにログインするために必要な前記ユーザのＩＤ及びパスワードを含むログイン情報を提供され、前記ログイン情報を前記インターネットサイトを運営するサーバーであるアバターサーバーに伝送した後、前記アバターサーバーから前記会員のアバターイメージを提供され、これを前記会員別のコンテンツデータベースに格納する機能をさらに行うこともでき、前記アバターサーバーから前記アバターサーバーが販売する所定のアバターイメージを提供され、これを前記ユーザコンピューターに提供し、前記ユーザコンピューターから前記アバターの購買要請と、前記アバターの購買に必要な決済情報を提供され、これを前記アバターサーバーに提供し、前記アバターイメージを前記会員別のコンテンツデータベースに格納する機能を行うこともできる。
【００５４】
会員管理部９０３は、前記通信網を介してユーザコンピューターが接続すると、前記ユーザが適正なユーザであるか否かを確認して認証し、前記ユーザが適正なユーザでない場合には、会員加入の手続きにより前記ユーザを会員加入させ、前記ユーザコンピューターの接続を許容する機能を行う。
【００５５】
チケット前売り部９０４は、前記販売用チケット情報データベースに登録された前売り可能なチケットの情報を前記ユーザコンピューターに提供し、前記ユーザコンピューターから前記前売り可能なチケットの何れか一つ以上を選択され、前売りの処理を行う機能を果たす。
【００５６】
注文型チケットイメージ生成部９０５は、ユーザコンピューターから注文型チケットの製作を要請されると、前記チケットイメージアイテムデータベース上の注文型チケットの製作に必要なコンテンツを読み出して前記ユーザコンピューターに提供し、前記ユーザコンピューターから前記ユーザが入力した注文型チケットの製作情報を提供されると、前記注文型チケットの製作情報に対応する注文型チケットのイメージ情報を生成し、前記ユーザ情報または前記前売りに関連した情報と連携して格納する機能を行う。
【００５７】
また、注文型チケットイメージ生成部９０５は、前記ユーザが入力した、前記ユーザコンピューター上に格納されている所定のイメージであるユーザイメージを前記注文型チケットのイメージに入れることを要請する情報が含まれている注文型チケット製作情報を前記ユーザコンピューターから提供されると、前記ユーザイメージを前記ユーザコンピューターから提供され、前記注文型チケットの製作情報に対応する注文型チケットのイメージ情報を生成して、前記ユーザ情報または前記前売りに関連した情報と連携して格納する機能を行うことができる。
【００５８】
また、前記注文型チケットイメージ生成部は、前記チケットレイアウトデータベースに格納されているチケットレイアウト情報を読み出し、前記ユーザコンピューターに提供した後、前記ユーザコンピューターから、前記ユーザが前記チケットレイアウト情報の何れか一つを選択した注文型チケットのレイアウトに関する情報をさらに提供され、前記注文型チケットのイメージ情報を前記注文型チケットのレイアウトに対応するように生成させる機能をさらに行うこともできる。
【００５９】
また、前記注文型チケットイメージ生成部は、前記前売りされたチケットと関連した公演コンテンツアイテムを前記公演コンテンツアイテムデータベースから読み出し、前記ユーザコンピューターにさらに提供することができる。
【００６０】
また、前記注文型チケットイメージ生成部は、前記ユーザと関連した所定のコンテンツを前記会員別のコンテンツデータベースから読み出し、前記ユーザコンピューターにさらに提供することができる。
【００６１】
注文型チケット発行部９０６は、前記前売りされたチケットを発行する所定の発券機から前記注文型チケットのイメージ情報が要請されると、これを読み出し、前記発券機に提供する機能を行う。
【００６２】
図１０は、従来のチケットの例を示す図である。図１０に示しているように、従来のチケットには、チケットを購買する購買者に関する情報は一切含まれてない。即ち、従来のチケットには、購買者のコンテンツ(各種記念日の情報、自分のアバター、自分の写真など)が含まれていない。
【００６３】
図１１ａ及び図１１ｂは、本発明による注文型チケットの製作例を示す図である。図１１ａに示しているチケットは、横型のレイアウトを有している。ここで、Ａは、公演場に入場する時に切られる切取り部であって、ここには 公演場に入場した観客数、売上高などに関する統計の作成時に必要な情報が記録される。そして、Ｂは、チケット情報部であって、公演の情報(公演のタイトル、公演日時、座席番号など)の情報が記載され、チケット情報部の背景画面は、購買者の所望によって変更可能である。
【００６４】
そして、Ｃは、イメージ処理部であって、購買者別に印刷される情報及びイメージが編集できる領域である。購買者は、自分が持っているイメージ、または映画の加工されたコンテンツイメージＤＢなどを活用して、所望のイメージを構成し、所望の内容のテキストを追加することができる。
【００６５】
そして、Ｄは、広告コンテンツの部分であって、公演会社は必要に応じて、チケットの一定領域を割いて所定の広告イメージを印刷することができる。
【００６６】
図１１ｂは、本発明による注文型チケットの他の製作例を示す図である。即ち、図１１ｂに示しているチケットは、縦型のレイアウトを有し、チケット購買者は、チケットの購買時に、横型または縦型のレイアウトの何れか一つを選択することによって、様々なチケットを注文製作することができる。図１１ｂの注文型チケットに印刷されている情報は、図１１ａと同様である。
【００６７】
図１２は、他の実施形態による注文型チケット発券システムの全体構成図である。
発券機１２０１は、注文型チケット発行サーバー１２０２から提供された公演情報(発券可能なチケットの情報)、及び前記公演に対応する各種イメージコンテンツ、チケット購買者が注文型チケット発行サーバーに会員登録した後、予め登録しておいた会員別のコンテンツ、及び提携サイト(他のインターネットサイト)１２０４から提供される所定の他のインターネットサイトのコンテンツを提供され、ユーザの簡単な操作によってチケットを編集し発券する機能を行う。
【００６８】
公演会社コンピューター１２０３は、公演情報(発券可能なチケットの情報)、及び前記公演に対応するイメージコンテンツのソースを前記注文型チケット発行サーバー１２０２に提供する機能を行う。
【００６９】
図１３は、他の実施形態による注文型チケットの発券方法の望ましい実施形態の流れ図である。
【００７０】
まず、注文型チケット発行サーバーは、今後チケットを購買するユーザを会員登録し、会員別にコンテンツを登録し、これを格納して、会員別のコンテンツＤＢを構築(１３０１)する。
【００７１】
公演会社コンピューターは、予め格納していた公演情報及び公演イメージを読み出し(１３０２)、これを注文型チケット発行サーバーに伝送し、注文型チケット発行サーバーは、前記公演情報をチケット発券情報ＤＢに格納して発行可能なチケットの情報を管理し、前記公演イメージを分割してチケットイメージアイテムを生成し、これを公演コンテンツＤＢに格納(１３０３)する。
【００７２】
一方、発券機は、チケット購買者から注文型チケットを発券するか否かを入力され、発券する場合(１３０４)、発券可能なチケットの情報を注文型チケット発行サーバーに要請(１３０５)する。
【００７３】
注文型チケット発行サーバーは、チケット発券情報ＤＢを検索して、発券可能なチケット情報を読み出し(１３０６)、これを前記発券機に伝送する。
【００７４】
発券機は、前記伝送された発券可能なチケットの情報を出力(１３０７)して、前記チケット購買者に提供し、チケット購買者が前記出力されたチケットの情報の中から購買するチケット(公演)を選択(１３０８)すると、これを注文型チケット発行サーバーに伝送する。
【００７５】
注文型チケット発行サーバーは、前記発券するチケットに対応する公演の公演コンテンツを前記公演コンテンツＤＢから読み出し(１３０９)、これを発券機に伝送する。
【００７６】
また、発券機は、注文型チケット発行サーバーに会員加入しているチケット購買者が、会員ＩＤ、パスワード及び会員コンテンツ要請情報を入力(１３１０)すると、これを注文型チケット発行サーバーに伝送し、注文型チケット発行サーバーは、伝送された前記会員ＩＤ及びパスワードに基づいて会員認証を行い、会員認証が成功すると、前記会員別のコンテンツＤＢを検索して前記会員ＩＤに対応する会員コンテンツを読み出し(１３１１)、これを発券機に伝送する。
【００７７】
そして、発券機は、チケット購買者が、自分の加入している他のインターネットサイトの所定コンテンツを用いて注文型チケットを編集しようとする場合に、該会員ＩＤ及びパスワードなどの情報が入力(１３１２)されると、他のインターネットサイトの情報(ドメイン情報など)と共に、これを注文型チケット発行サーバーに伝送する。この時、注文型チケット発行サーバーは、前記他のインターネットサイトのサーバーに前記会員ＩＤ及びパスワードを伝送しながら、前記会員ＩＤに対応する所定のコンテンツを要請し、前記他のインターネットサイトのサーバーから前記コンテンツが提供されると、これを発券機に伝送(１３１３)する。
【００７８】
発券機は、前記公演情報、公演コンテンツに基づいてチケットのイメージを編集するが、前記会員コンテンツまたは他のインターネットサイトのコンテンツがある場合、これをチケットのイメージに入れて編集することができる(１３１４)。
【００７９】
その後、編集されたチケットを発券(１３１５)してチケット購買者に提供し、チケットの発券情報を前記注文型チケット発行サーバーに提供すると、注文型チケット発行サーバーは、提供された前記チケット発券情報をチケット発券情報ＤＢに格納する。
【００８０】
ここで、前記段階１３０１、１３１０ないし１３１３は、選択的な段階であり、本発明の必須構成要素ではない。  
図１４は、他の実施形態による注文型チケット発券システムの発券機の望ましい実施形態のブロック構成図である。本発明による発券機は、発券チケット選択部１４０１、公演コンテンツ受信部１４０２及び発券部１４０３を含む。
【００８１】
発券チケット選択部１４０１は、所定のチケット購買者から注文型チケットを発券するか否かを入力され、発券する場合には、前記注文型チケット発行サーバーに発券可なチケットの情報を要請し、前記注文型チケット発行サーバーから前記発券可能なチケットの情報を提供されて、これを出力し、前記チケット購買者から前記出力された発券可能なチケットの何れか一つを選択される機能を行う。
【００８２】
そして、公演コンテンツ受信部１４０２は、前記発券チケット選択部から前記選択されたチケットの情報を提供されて、前記選択されたチケットに関連した公演コンテンツを前記注文型チケット発行サーバーに要請し、伝送される機能を行う。
【００８３】
前記発券部１４０３は、前記選択されたチケットの公演情報を前記発券チケット選択部から提供され、前記公演コンテンツを前記公演コンテンツ受信部から提供されて、これらに基づいて注文型チケットを編集処理した後、前記編集されたチケットを発券する機能を行う。
【００８４】
ここで、公演コンテンツ受信部１４０１は、前記チケット購買者が所定の会員ＩＤ及びパスワードを入力すると、これを前記注文型チケット発行サーバーに伝送した後、前記会員ＩＤに対応する会員別のコンテンツを受信し、この時、発券部１４０３は、前記選択されたチケットの公演情報を前記発券チケット選択部から提供され、前記公演コンテンツ及び前記会員コンテンツを前記公演コンテンツ受信部から提供されて、これに基づいて注文型チケットを編集処理した後、前記編集されたチケットを発券することができる。
【００８５】
また、前記発券機の公演コンテンツ受信部１４０１は、前記チケット購買者が所定の他のインターネットサイトの情報、所定の会員ＩＤ及びパスワードを入力すると、これを前記注文型チケット発行サーバーに伝送し、前記注文型チケット発行サーバーが前記他のインターネットサイトのサーバーに前記会員ＩＤ及びパスワードを伝送しながら、前記会員ＩＤに対応するコンテンツの伝送を要請した後、前記他のインターネットサイトのサーバーから伝送された所定の他のサイトのコンテンツを伝送されると、前記発券部１４０３は、前記選択されたチケットの公演情報を前記発券チケット選択部から提供され、前記公演コンテンツ及び前記他のインターネットサイトのコンテンツを前記公演コンテンツ受信部から提供されて、それに基づいて注文型チケットを編集処理した後、前記編集されたチケットを発券することができる。
【００８６】
以上、本発明の実施形態を詳しく説明してきたが、本発明の範囲は、これらの実施形態に限定されるものではなく、本発明の思想から逸脱しないあらゆる範囲に及ぶ。
【００８７】
一方、本発明の方法は、コンピューターで実行できるコンピュータープログラムとして製作することができ、前記コンピュータープログラムは、コンピューターで読み取り可能な記録媒体(ハードディスク、各種メモリーなど)に記録することができる。
【産業上の利用可能性】
【００８８】
本発明によると、映画、演劇、音楽会などの公演チケットをインターネットなどの通信網を介して前売りするユーザは、自分だけのチケットを自分でデザインし、発給することができる。また、購買者は、発給するチケットに自分のアバターを簡単に入れることができる。
【００８９】
なお、公演会社にとっては、公演チケットへのアバターまたはアイテムを開発し販売することができ、新しい収益を生み出すことができる。
【００９０】
またなお、所定の公演チケットの前売りだけではなく、現場で即座に購買する場合にも、予め登録しておいた自分だけのイメージを用いてユニークなチケットを発券することができる。
【図面の簡単な説明】
【００９１】
【図１】本発明による注文型チケットが発行される全体システムの構成図である。
【図２】本発明による注文型チケットを発行する方法において、公演会社からコンテンツが提供される過程のデータ流れ図である。
【図３】本発明による注文型チケットを発行する方法において、ユーザからコンテンツが提供される過程のデータ流れ図である。
【図４】本発明による注文型チケットを発行する方法において、アバターコンテンツが提供される過程のデータ流れ図である。
【図５】本発明による注文型チケットを発行する方法の全体データ流れ図である。
【図６】本発明による注文型チケットを発行する方法において、ユーザが注文型チケットを製作する方法のデータ流れ図である。
【図７】本発明による注文型チケットの製作方法の望ましい実施形態の流れ図である。
【図８】本発明による注文型チケットの発行方法の望ましい実施形態の流れ図である。
【図９】本発明による注文型チケット発行サーバーの望ましい実施形態のブロック構成図である。
【図１０】従来のチケットの例を示す図である。
【図１１ａ】本発明による注文型チケットの製作例を示す図である。
【図１１ｂ】本発明による注文型チケットの製作例を示す図である。
【図１２】他の実施形態による注文型チケット発券システムの全体構成図である。
【図１３】他の実施形態による注文型チケットの発券方法の望ましい実施形態の流れ図である。
【図１４】他の実施形態による注文型チケット発券システムの発券機の望ましい実施形態のブロック構成図である。
【図１】
2008538017.tif 000003
【図２】
2008538017.tif 000004
【図３】
2008538017.tif 000005
【図４】
2008538017.tif 000006
【図５】
2008538017.tif 000007
【図６】
2008538017.tif 000008
【図７】
2008538017.tif 000009
【図８】
2008538017.tif 000010
【図９】
2008538017.tif 000011
【図１０】
2008538017.tif 000012
【図１１ａ】
2008538017.tif 000013
【図１１ｂ】
2008538017.tif 000014
【図１２】
2008538017.tif 000015
【図１３】
2008538017.tif 000016
【図１４】
2008538017.tif 000017
【国際調査報告】
2008538017.tif 000018
2008538017.tif 000019